【事件の表示】
　特願２０００−２７０９３６「脱穀装置」拒絶査定に対する審判事件［平成１３年４月３日出願公開、特開２００１−８６８４７］について、次のとおり審決する。
【結　論】
　本件審判の請求は、成り立たない。
【理　由】
１．手続の経緯・本願発明
　本願は、昭和５９年４月１３日に出願された実願昭５９−５５１８７号出願を特許出願（特願平６−９９２６３号）に変更し、この特許出願の一部を新たな特許出願（特願平８−１７７４０２号）とし、この特許出願の一部を新たな特許出願（特願平９−１７３０５８号）とし、さらに、この特許出願の一部を新たな特許出願（特願平１０−２１９７５８号）とし、さらに、この特許出願の一部を平成１２年９月７日に新たな特許出願としたものであって、その発明の要旨は、平成１５年４月２１日に提出された手続補正書で補正された明細書及び図面の記載からみてその特許請求の範囲に記載されたとおりの、
　「チャフシーブにおけるフィンの角度変更手段と、脱穀処理量の検出手段とを設け、検出脱穀処理量に基づいてフィンの角度を自動調節するように構成された脱穀装置において、刈り始め時のフィンの角度を、低速走行の方より高速走行の方で大きくさせるべく制御し、前記チャフシーブにおけるフィンの角度変更手段と、脱穀処理量の検出手段とを設け、検出脱穀処理量に基づいてフィンの角度を自動調節すると共に、回行時等の１行程の刈取作業終了時に、前記フィンの角度を、フィンの角度の自動制御範囲中の下限値になるように制御する制御手段を備えたことを特徴とする脱穀装置。」と認められる。
　
２．引用例記載の発明
（１）原査定の拒絶の理由に引用した実願昭５３−２５８８４号（実開昭５４−１３００６２号）のマイクロフィルム（以下、「引用例１」という）には、
（１-a）「マル１　回収二番穀物をピータセン型式のチヤフシーブ(６)上に還元させるべく構成してある脱穀選別装置において、回収二番穀物量を検出する検出器(13)を設けるとともに、その検出結果に基づいて前記チヤフシーブ(６)のピータセン角度を自動的に変更する機構(14)を設けてある事を特徴とする脱穀選別装置。
マル２　前記自動変更機構(14)は、検出器(13)による回収二番穀物量が多いとき、チヤフシーブ(６)のピータセン角度を大にする方向に作動すべく構成されている実用新案登録請求の範囲第マル１項記載の脱穀選別装置。」（実用新案登録請求の範囲）、
（１-b）「前記チヤフシーブ(６)のピータセン角度を回収二番穀物量に応じて無段階的に自動変更しても良きものである。」（５頁１７〜１９行）と記載されている。
　上記記載によると、引用例１には、ピータセン型のチヤフシーブ(６)におけるピータセン角度を変更する機構(14)と、回収二番穀物量を検出する検出器(13)とを設けるとともに、その検出結果に基づいて前記チヤフシーブ(６)のピータセン角度を自動的に変更する機構(14)を設けてある脱穀装置が記載されていると認められる。
（２）同じく拒絶の理由に引用した特開昭５５−３４０８５号公報（以下、「引用例２」という）には、
（２-a）「一般に脱穀機において扱室のクリンプ網から漏下する脱穀物の量は、脱穀作業が連続的に行われている定常状態のときが最も多く且つ略一定であるため、クリンプ網の下方に位置して該クリンプ網からの脱穀物を稈切れ等を除き穀物のみが流下するように選別するチヤフシーブは、・・・脱穀作業が連続的に行われている定常状態に合せて選別性能を設定している。しかし、脱穀作業開始から前記定常状態に至るまでの間及び脱穀終りから扱室の脱穀物が完全になくなるまでの間は、脱穀物の量が少ないばかりか、脱穀物中に可成り多くの稈切れ等を含んでいるので、選別性能を・・・定常状態に合せて設定したチヤフシーブでは、脱穀開始及び脱穀終りの過渡期における選別性能が著しく低下し、穀物への稈切れ等の混入が多くなるのであつた。」（１頁下段左欄１７行〜同頁下段右欄１２行）、
（２-b）「本発明は、クリンプ網の下方に位置するチヤフシーブを横桟式とすると共に、該チヤフシーブの各横桟間の開きを可変に構成し、脱穀作業の開始から定常状態になるまでの間及び脱穀終りから以降において、前記チヤフシーブにおける各横桟間の開きを定常状態時よりも自動的に縮少操作することにより、脱穀開始から終りまでの全脱穀域についての選別性能を向上するようにしたものである。」（１頁下段右欄１３〜２０行）、
（２-c）「本発明では、刈取れた穀稈列の最前端がフィードチェン(３)途中のセンサー(36)に接当し、タイマー(39)の設定時間を経過し、脱穀作業が定常状態になれば、ソレノイド(35)の励磁によつてチャフシーブ(17)における各横桟(28)はその傾斜角(θ)が大きくなり、脱穀開始から定常状態までの間は各横桟(28)の傾斜角(θ)は小さく各横桟(28)間は狭くなつているから、脱穀物の落下を規制できて、多い稈切れ等に対する脱穀物の選別に自動的に適合し、定常状態なれば各横桟(28)の傾斜角(θ)が大きくなつて、多い脱穀物に対する選別に自動的に適合し、そして、刈取終りに穀稈列の最後端がセンサー(36)から外れ、タイマー(41)の設定時間を経過し、クリンプ網(11)からの脱穀物が定常状態時よりも少なくなると共に、稈切れ等が多くなれば、ソレノイド(34)の励磁によって、各横桟(28)の傾斜角(θ)が小さく間隔が狭くなるから、穀物量が少なく且つ稈切れ等の多い場合の選別に自動的に適合することになるというように、チャフシーブ(17)の選別性能が脱穀状態に合わせて自動的に調節できるのである。」（３頁左上欄１２行〜同頁右上欄１１行）と記載されている。
（３）同じく拒絶の理由に引用した実願昭５７−１０９５３１号（実開昭５９−１４５３４号）のマイクロフィルム（以下、「引用例３」という）には、
（３-a）「扱胴の下方に傾斜角調節可能に横架させる揺動選別用横桟を、傾斜角切換用レバーを介して変速レバーに連動連結させ、その変速操作時に前記横桟を自動調節するように構成したことを特徴とする脱穀機の揺動選別装置。」（実用新案登録請求の範囲）、
（３-b）「可動チヤフシーブ(27)は、・・・横桟(46)…とを含む。・・・横桟(46) …を傾斜角度調節可能とさせる如く回転自在に適宜間隔で横架させる」（４頁５〜１２行）、
（３-c）「変速レバー(53)を揺動操作して・・・低速或いは高速に変速動作させると、前記ノッチ(61)或いは(62)を介して該レバー(53)と一体的に切換用レバー(60)も枢軸(56)を支点に揺動変位し・・・横桟(46)の傾斜角(θ)を小に、或いは・・・横桟(46)の傾斜角(θ)を大に可変させて、走行速度が高速となりこの脱穀部(４)への刈取り穀稈の供給量が増大する程それに応じて傾斜角(θ)を大とさせこの漏下量を増加を図るものである。」（８頁６〜１７行）と記載されている。
　
３．対比・判断
　本願発明と引用例１記載の発明とを対比すると、
引用例１記載の発明の「ピータセン角度を変更する機構(14)」及び「回収二番穀物量を検出する検出器(13)」が、本願発明の「フィンの角度変更手段」及び「脱穀処理量の検出手段」に対応するから、両者は、
　チャフシーブにおけるフィンの角度変更手段と、脱穀処理量の検出手段とを設け、検出脱穀処理量に基づいてフィンの角度を自動調節するように構成された脱穀装置で一致し、
　本願発明では、刈り始め時のフィンの角度を、低速走行の方より高速走行の方で大きくさせるべく制御し、前記チャフシーブにおけるフィンの角度変更手段と、脱穀処理量の検出手段とを設け、検出脱穀処理量に基づいてフィンの角度を自動調節すると共に、回行時等の１行程の刈取作業終了時に、前記フィンの角度を、フィンの角度の自動制御範囲中の下限値になるように制御する制御手段を備えているのに対し、引用例１記載の発明では、検出脱穀処理量に基づいてフィンの角度を自動調節している点で構成が相違する。
　上記相違点について検討する。
　引用例２には、脱穀装置において、フィードチェン(３)にセンサー(36)を設け、センサー(36)によって穀稈列の最先端と最後端を検知し、検知した時から設定時間後にチャフシーブ(17)の横桟の間隔を調節するよう構成したことにより、脱穀物の量が定常状態でない、脱穀開始時と脱穀終了時に、チャフシーブ(17)による選別性能を脱穀物の量に応じて調節することが記載されている。
　また、引用例３には、コンバインにおいて、可動チヤフシーブ(27)の横桟(46)…の間隔を走行速度に応じて調節するよう構成したことにより、可動チヤフシーブ(27)の選別性能を脱穀物の量に応じて調節することが記載されているといえる。
　しかも、コンバインによる刈取作業において、回行時等の１行程の刈取作業終了時には、刈取作業が中断されその間穀稈列がフィードチェンに供給されなくなり、脱穀物が定常状態の量より減少し、引用例２に記載された、脱穀終了時と同様の問題点が生じることは明らかであるから、引用例１記載の発明において、チャフシーブによる選別性能を、脱穀物の量に応じて調節するために、刈り始め時のフィンの角度を、低速走行の方より高速走行の方で大きくするとともに、回行時等の１行程の刈取作業終了時に、フィンの角度を小さくなるように制御するようにし、上記相違点における本願発明のように構成することは当業者なら容易に想到できることである。
　なお、本願の特許請求の範囲には、「チャフシーブにおけるフィンの角度変更手段と、脱穀処理量の検出手段とを設け、検出脱穀処理量に基づいてフィンの角度を自動調節するように構成された脱穀装置において、・・・前記チャフシーブにおけるフィンの角度変更手段と、脱穀処理量の検出手段とを設け、」と記載されており、本願発明は、フィンの角度変更手段と脱穀処理量の検出手段とが設けられた脱穀装置に、さらに、フィンの角度変更手段と脱穀処理量の検出手段とを設けたものとも解釈できるが、審決では実施例を考慮し前記のようには解釈していない。
　そして、本願発明が奏する効果は、引用例１ないし３に記載された発明から予測できる程度であって格別顕著なものではない。
　
４．むすび
　以上のとおり、本願発明は、引用例１ないし３に記載された発明に基づいて当業者が容易に発明をすることができたものであるから、特許法第２９条第２項の規定により特許を受けることができない。
　よって、結論のとおり審決する。